【手続補正書】
【提出日】平成29年6月29日(2017.6.29)
【手続補正１】
【補正対象書類名】特許請求の範囲
【補正対象項目名】全文
【補正方法】変更
【補正の内容】
【特許請求の範囲】
【請求項１】
装置であって、
メモリと、
進化型ノードＢ（ｅＮＢ）のための回路であり、該回路は前記メモリと結合しており、該回路はＸ２アプリケーションプロトコル（Ｘ２ＡＰ）メッセージを第２のｅＮＢに送信する、回路と、を備え、
前記Ｘ２ＡＰメッセージは、
前記ｅＮＢによって提供される無線通信セルのためのセル識別子を含む第１の情報要素（ＩＥ）と、
前記無線通信セルによって使用されることを意図したＵＬ−ＤＬ構成を示す時分割複信（ＴＤＤ）上りリンク下りリンク（ＵＬ−ＤＬ）構成情報を含む第２のＩＥと、
を含む、装置。
【請求項２】
請求項１に記載の装置であって、前記Ｘ２ＡＰメッセージは、前記第２のｅＮＢによって提供される第２の無線通信セルのためのセル識別子を含む第３のＩＥを含む、装置。
【請求項３】
請求項２に記載の装置であって、前記第３のＩＥは、ＵＬ高干渉情報ＩＥグループの対象セル識別子ＩＥを含む、装置。
【請求項４】
請求項１乃至３のいずれか一項に記載の装置であって、前記Ｘ２ＡＰメッセージは、負荷情報Ｘ２ＡＰメッセージを含む、装置。
【請求項５】
請求項１乃至４のいずれか一項に記載の装置であって、前記第１のＩＥは、セル情報項目ＩＥグループのセル識別子ＩＥを含む、装置。
【請求項６】
請求項１乃至５のいずれか一項に記載の装置であって、前記ＴＤＤ  ＵＬ−ＤＬ構成情報は、列挙された値の組の中から選択された値を含み、該値は、予め定義されたＵＬ−ＤＬ構成を示す、装置。
【請求項７】
請求項１乃至６のいずれか一項に記載の装置であって、前記第２のＩＥは、セル情報項目ＩＥグループの動的サブフレーム割当てＩＥを含む、装置。
【請求項８】
請求項１乃至６のいずれか一項に記載の装置であって、前記第２のＩＥは、セル情報項目ＩＥグループのＵＬ−ＤＬ構成アップデートＩＥを含む、装置。
【請求項９】
請求項１乃至８のいずれか一項に記載の装置であって、
１以上のアンテナと、
前記１以上のアンテナを介して、直交周波数分割多重（ＯＦＤＭ）信号を送信する送信機と、
を備える装置。
【請求項１０】
装置であって、
メモリと、
進化型ノードＢ（ｅＮＢ）のための回路であり、該回路は前記メモリと結合している、回路とを備え、
該回路は、第２のｅＮＢから受信したＸ２アプリケーションプロトコル（Ｘ２ＡＰ）メッセージを処理し、ここで、前記Ｘ２ＡＰメッセージは、
前記第２のｅＮＢによって提供される無線通信セルのためのセル識別子を含む第１の情報要素（ＩＥ）と、
前記無線通信セルによって使用されることを意図したＵＬ−ＤＬ構成を示す時分割複信（ＴＤＤ）上りリンク下りリンク（ＵＬ−ＤＬ）構成情報を含む第２のＩＥと、
を含むＸ２ＡＰメッセージであり、
該回路は、前記ＴＤＤ  ＵＬ−ＤＬ構成情報に基づいて第２の無線通信セルのためのＵＬ−ＤＬ構成を選択する、
装置。
【請求項１１】
請求項１０に記載の装置であって、前記Ｘ２ＡＰメッセージは、前記第２の無線通信セルのためのセル識別子を含む第３のＩＥを含む、装置。
【請求項１２】
請求項１１に記載の装置であって、前記第３のＩＥは、ＵＬ高干渉情報ＩＥグループの対象セル識別子ＩＥを含む、装置。
【請求項１３】
請求項１０乃至１２のいずれか一項に記載の装置であって、前記Ｘ２ＡＰメッセージは、負荷情報Ｘ２ＡＰメッセージを含む、装置。
【請求項１４】
請求項１０乃至１３のいずれか一項に記載の装置であって、前記第１のＩＥは、セル情報項目ＩＥグループのセル識別子ＩＥを含む、装置。
【請求項１５】
請求項１０乃至１４のいずれか一項に記載の装置であって、前記ＴＤＤ  ＵＬ−ＤＬ構成情報は、列挙された値の組の中に存在する値を含み、該値は、予め定義されたＵＬ−ＤＬ構成を示す、装置。
【請求項１６】
請求項１０乃至１５のいずれか一項に記載の装置であって、前記第２のＩＥは、セル情報項目ＩＥグループの動的サブフレーム割当てＩＥを含む、装置。
【請求項１７】
請求項１０乃至１５のいずれか一項に記載の装置であって、前記第２のＩＥは、セル情報項目ＩＥグループのＵＬ−ＤＬ構成アップデートＩＥを含む、装置。
【請求項１８】
請求項１０乃至１７のいずれか一項に記載の装置であって、
１以上のアンテナと、
前記１以上のアンテナを介して、直交周波数分割多重（ＯＦＤＭ）信号を送信する送信機と、
を備える装置。
【請求項１９】
コンピュータプログラムであって、
進化型ノードＢ（ｅＮＢ）の処理回路によって実行されると、
前記ｅＮＢに、Ｘ２アプリケーションプロトコル（Ｘ２ＡＰ）メッセージを第２のｅＮＢに送信させ、
ここで、前記Ｘ２ＡＰメッセージは、
前記ｅＮＢによって提供される無線通信セルのためのセル識別子を含む第１の情報要素（ＩＥ）と、
前記無線通信セルによって使用されることを意図したＵＬ−ＤＬ構成を示す時分割複信（ＴＤＤ）上りリンク下りリンク（ＵＬ−ＤＬ）構成情報を含む第２のＩＥとを含む、
コンピュータプログラム。
【請求項２０】
請求項１９に記載のコンピュータプログラムであって、前記Ｘ２ＡＰメッセージは、前記第２のｅＮＢによって提供される第２の無線通信セルのためのセル識別子を含む第３のＩＥを含む、コンピュータプログラム。
【請求項２１】
請求項１９または２０に記載のコンピュータプログラムであって、前記Ｘ２ＡＰメッセージは、負荷情報Ｘ２ＡＰメッセージを含む、コンピュータプログラム。
【請求項２２】
請求項１９乃至２１のいずれか一項に記載のコンピュータプログラムであって、前記第１のＩＥは、セル情報項目ＩＥグループのセル識別子ＩＥを含む、コンピュータプログラム。
【請求項２３】
請求項１９乃至２２のいずれか一項に記載のコンピュータプログラムであって、前記ＴＤＤ  ＵＬ−ＤＬ構成情報は、列挙された値の組の中から選択された値を含み、該値は、予め定義されたＵＬ−ＤＬ構成を示す、コンピュータプログラム。
【請求項２４】
請求項１９乃至２３のいずれか一項に記載のコンピュータプログラムであって、前記第２のＩＥは、動的サブフレーム割当てＩＥ、または、ＵＬ−ＤＬ構成アップデートＩＥを含む、コンピュータプログラム。
【請求項２５】
コンピュータプログラムであって、
進化型ノードＢ（ｅＮＢ）の処理回路によって実行されると、
前記ｅＮＢに、第２のｅＮＢから受信したＸ２アプリケーションプロトコル（Ｘ２ＡＰ）メッセージを処理させ、
ここで、前記Ｘ２ＡＰメッセージは、
前記第２のｅＮＢによって提供される無線通信セルのためのセル識別子を含む第１の情報要素（ＩＥ）と、
前記無線通信セルによって使用されることを意図したＵＬ−ＤＬ構成を示す時分割複信（ＴＤＤ）上りリンク下りリンク（ＵＬ−ＤＬ）構成情報を含む第２のＩＥとを含む、
前記ｅＮＢに、前記ＴＤＤ  ＵＬ−ＤＬ構成情報に基づいて第２の無線通信セルのためのＵＬ−ＤＬ構成を選択させる、
コンピュータプログラム。
【請求項２６】
請求項２５に記載のコンピュータプログラムであって、前記Ｘ２ＡＰメッセージは、前記第２の無線通信セルのためのセル識別子を含む第３のＩＥを含む、コンピュータプログラム。
【請求項２７】
請求項２５または２６に記載のコンピュータプログラムであって、前記Ｘ２ＡＰメッセージは、負荷情報Ｘ２ＡＰメッセージを含む、コンピュータプログラム。
【請求項２８】
請求項２５乃至２７のいずれか一項に記載のコンピュータプログラムであって、前記第１のＩＥは、セル情報項目ＩＥグループのセル識別子ＩＥを含む、コンピュータプログラム。
【請求項２９】
請求項２５乃至２８のいずれか一項に記載のコンピュータプログラムであって、前記ＴＤＤ  ＵＬ−ＤＬ構成情報は、列挙された値の組の中に存在する値を含み、該値は、予め定義されたＵＬ−ＤＬ構成を示す、コンピュータプログラム。
【請求項３０】
請求項２５乃至２９のいずれか一項に記載のコンピュータプログラムであって、前記第２のＩＥは、動的サブフレーム割当てＩＥ、または、ＵＬ−ＤＬ構成アップデートＩＥを含む、コンピュータプログラム。
【請求項３１】
請求項１９乃至３０のいずれか一項に記載のコンピュータプログラムを格納するコンピュータ可読媒体。